(57)【特許請求の範囲】
【請求項１】
ボディエリアネットワークシステムであって、
ユーザのバイオフィードバック信号を感知するためのバイオフィードバックセンサと、
ボディエリアネットワーク信号を受信するための身体インターフェースと、
前記ボディエリアネットワーク信号を受信するために前記バイオフィードバックセンサの前記身体インターフェースと結合された入力部、第一出力部、および第二出力部を有する信号マルチプレクサであり、前記信号マルチプレクサは、前記第一出力部で１つまたはそれ以上のバイオフィードバック信号を創出し、かつ、前記第二出力部で身体結合通信信号を創出するために、前記ボディエリアネットワーク信号を逆多重化する、信号マルチプレクサと、
前記信号マルチプレクサの前記第一出力部と結合された複数のセンサ信号調整回路であり、前記複数のセンサ信号調整回路のそれぞれは、異なるタイプのバイオフィードバック信号を処理する、複数のセンサ信号調整回路と、
前記信号マルチプレクサの前記第二出力部と結合されたボディエリアネットワーク通信回路であり、前記ボディエリアネットワーク通信回路は、
前記身体結合通信信号が、前記ユーザの身体を介してボディエリアネットワークコントローラから送信されているか否かを判断し、
前記身体結合通信信号が前記ボディエリアネットワークコントローラからのものであるとの判断に応じて、前記身体結合通信信号を処理し、
前記身体結合通信信号が、前記バイオフィードバック信号の処理を調整するための前記ボディエリアネットワークコントローラから前記バイオフィードバックセンサに対する要求を含むか否かを判断し、
前記身体結合通信信号が前記バイオフィードバック信号の処理を調整するための前記バイオフィードバックセンサに対する前記要求を含むとの判断に応じて、前記バイオフィードバックセンサによって現在監視されている現在のタイプのバイオフィードバック信号とは異なる前記ボディエリアネットワーク信号の異なるタイプの前記バイオフィードバック信号を監視し、かつ、処理するために、前記複数のセンサ信号調整回路のうち少なくとも１つを選択するように前記複数のセンサ信号調整回路を制御する、
ボディエリアネットワーク通信回路と、
を備える、
ボディエリアネットワークシステム。
【請求項２】
前記ボディエリアネットワーク通信回路は、さらに、出力身体結合通信信号を送信し、かつ、
前記信号マルチプレクサは、前記出力身体結合通信信号を前記バイオフィードバック信号と多重化するための双方向信号マルチプレクサを備える、
請求項１に記載のボディエリアネットワークシステム。
【請求項３】
前記バイオフィードバックセンサは、さらに、
前記バイオフィードバック信号に基づいてセンサデータを生成し、かつ、身体結合通信を介してボディエリアネットワークコントローラに対して前記センサデータを送信するように前記ボディエリアネットワーク通信回路を制御するための、センサコントローラ、
を備える、請求項１に記載のボディエリアネットワークシステム。
【請求項４】
前記信号マルチプレクサは、ダイプレクサ、ローパスフィルタ、および、ハイパスフィルタのうちの少なくとも１つを含む、
請求項１に記載のボディエリアネットワークシステム。
【請求項５】
前記バイオフィードバック信号は、低周波数範囲内にあり、かつ、前記身体結合通信信号は、前記低周波数範囲よりも高い高周波数範囲内にある、
請求項１に記載のボディエリアネットワークシステム。
【請求項６】
ボディエリアネットワークシステムの作動方法であって、
バイオフィードバックセンサによって、ユーザのボディエリアネットワーク信号を感知するステップと、
バイオフィードバックセンサの身体インターフェースによって、前記ユーザのボディエリアネットワーク信号を受信するステップと、
１つまたはそれ以上のバイオフィードバック信号および身体結合通信信号を創出するために、前記バイオフィードバックセンサの信号マルチプレクサによって、前記ボディエリアネットワーク信号を逆多重化するステップと、
前記バイオフィードバックセンサの複数のセンサ信号調整回路によって、前記１つまたはそれ以上のバイオフィードバック信号を処理するステップであり、前記複数のセンサ信号調整回路のそれぞれは、異なるタイプのバイオフィードバック信号を処理する、ステップと、
前記身体結合通信信号が前記ユーザの身体を介してボディエリアネットワークコントローラから送信されているか否かを、ボディエリアネットワーク通信回路によって、判断するステップと、
前記身体結合通信信号が前記ボディエリアネットワークコントローラからのものであるとの判断に応じて、ボディエリアネットワーク通信回路によって、前記身体結合通信信号を処理するステップと、
前記身体結合通信信号が前記バイオフィードバック信号の処理を調整するための前記ボディエリアネットワークコントローラから前記バイオフィードバックセンサに対する要求を含むか否かを、ボディエリアネットワーク通信回路によって、判断するステップと、
前記身体結合通信信号が前記バイオフィードバック信号の処理を調整するための前記バイオフィードバックセンサに対する前記要求を含むとの判断に応じて、前記バイオフィードバックセンサによって現在監視されている現在のタイプのバイオフィードバック信号とは異なる前記ボディエリアネットワーク信号の異なるタイプの前記バイオフィードバック信号を監視し、かつ、処理するために、前記複数のセンサ信号調整回路のうち少なくとも１つを選択するように、ボディエリアネットワーク通信回路によって、前記複数のセンサ信号調整回路を制御するステップと、
を備える、作動方法。
【請求項７】
前記作動方法は、さらに、
前記ボディエリアネットワーク通信回路によって、出力身体結合通信信号を送信するステップと、
前記信号マルチプレクサによって、前記出力身体結合通信信号を前記バイオフィードバック信号と多重化するステップと、
を備える、請求項６に記載の作動方法。
【請求項８】
前記作動方法は、さらに、
センサコントローラによって、前記バイオフィードバック信号に基づいてセンサデータを生成するステップと、
前記センサデータを身体結合通信によってボディエリアネットワークコントローラに対して送信するために、前記センサコントローラによって、前記ボディエリアネットワーク通信回路を制御するステップと、
を備える、請求項６に記載の作動方法。
【請求項９】
前記信号マルチプレクサによって、前記ボディエリアネットワーク信号を逆多重化するステップは、
ダイプレクサ、ローパスフィルタ、または、ハイパスフィルタのうちの少なくとも１つによって、前記ボディエリアネットワーク信号を逆多重化するステップ、
を備える、請求項６に記載の作動方法。
【請求項１０】
前記信号マルチプレクサによって、前記ボディエリアネットワーク信号を逆多重化するステップは、
低周波数範囲内のバイオフィードバック信号を創出し、かつ、前記低周波数範囲よりも高い高周波数範囲内の身体結合通信信号を創出するために、身体のバイオフィードバック信号を逆多重化するステップ、
を備える、請求項６に記載の作動方法。
【請求項１１】
複数の命令を備えるコンピュータプログラムであって、前記命令がコントローラによって実行されるのに応じて、
請求項６乃至１０いずれか一項に記載の作動方法をボディエリアネットワークシステムに実行させる、
コンピュータプログラム。
【請求項１２】
請求項１１に記載のコンピュータプログラムを記憶した、
コンピュータ読取り可能な記憶媒体。
【発明の詳細な説明】
【技術分野】
【０００１】
本出願は、２０１４年９月２７日出願の、「ＢＩＯＦＥＥＤＢＡＣＫ  ＳＥＮＳＯＲＳ  ＩＮ  Ａ  ＢＯＤＹ  ＡＲＥＡ  ＮＥＴＷＯＲＫ（ボディエリアネットワーク内のバイオフィードバックセンサ）」と題された、米国実用特許出願第１４／４９９，１００号の優先権を主張する。
【背景技術】
【０００２】
生体センサ、特に電気的活動、ガルバニ電位（ｇａｌｖａｎｉｃ  ｐｏｔｅｎｔｉａｌ）、皮膚抵抗などを検出するセンサは、着用者のバイオフィードバックを提供するためのウェアラブル用途においてますます一般的になりつつある。生体センサを用いて感知可能なバイオフィードバックの例は、たとえば、心拍数、脳活動、体温、筋肉運動、感情状態などを含む。多くの生体センサは、生体センサの着用者の皮膚と連絡する（すなわち、接触する）伝導板または伝導面を特徴とする。接触インターフェースは一般的に、「湿式」または「乾式」のいずれかで呼ばれる。この区別は主に、接触インターフェースと皮膚との間に導電性ゲルなどの導電媒質があるか（すなわち、湿式）、またはないか（すなわち、乾式）に基づいている。加えて、乾式接触インターフェースは、着用者の皮膚と直接ではなく、衣服の外側など、着用者の皮膚の極近傍にあるだけでよい。
【発明の概要】
【発明が解決しようとする課題】
【０００３】
現在の用途において、生体センサは通常、身体の皮膚に埋め込まれるか、身体の皮膚に直接取り付けられるか、または手首装着装置などのウェアラブルセンサ装置内で身体の皮膚の近傍にある。典型的な取り付け型生体センサおよび／またはウェアラブルセンサ装置は、電線またはその他のハードウェア相互接続によって、メインコントローラ装置に連結されてもよい。メインコントローラ装置はそれ自体がウェアラブルデバイスである。しかしながら、特定の条件下において、着用者の各生体センサからメインコントローラ装置まで配線することは不便であり、実行不可能ですらある。
【課題を解決するための手段】
【０００４】
このような条件に対処するために、ウェアラブルセンサ装置は、Ｂｌｕｅｔｏｏｔｈ（登録商標）、ＺｉｇＢｅｅ、およびＷｉ−Ｆｉなど何らかの形態の無線通信によってメインコントローラ装置に連結される。しかしながら、これらの形態の無線通信は望ましくなく、用途を制限する可能性がある。たとえば、無線通信は用途の柔軟性を提供する一方で、無線通信は、様々な無線通信規格およびプロトコルにわたる相互運用の懸念を呈し、ウェアラブルセンサ装置へのデータおよびアクセスを有害かも知れない第三者に曝すことによる潜在的なセキュリティの懸念をもたらす。加えて、無線通信は干渉の影響を受けやすく、潜在的に信頼性の低い無線ネットワークである。
【図面の簡単な説明】
【０００５】
本明細書に記載される概念は、添付図面における限定によってではなく、例示によって図示される。説明図の簡潔さおよび明確さのために、図示される要素は必ずしも縮尺通りではない。適切と思われる場合には、対応するかまたは類似の要素を示すために、各図の間で参照符号が繰り返されている。
【図１】ボディエリアネットワーク（ＢＡＮ）コントローラと身体結合通信（ＢＣＣ：Ｂｏｄｙ−Ｃｏｕｐｌｅｄ  Ｃｏｍｍｕｎｉｃａｔｉｏｎ）しているバイオフィードバック装置を含む、ＢＡＮの実施形態の説明図である。
【図２】図１のバイオフィードバック装置の少なくとも１つの実施形態の簡略ブロック図である。
【図３】図１のＢＡＮコントローラ装置の少なくとも１つの実施形態の簡略ブロック図である。
【図４】図１のＢＡＮを介したバイオフィードバック装置通信の方法の少なくとも１つの実施形態の簡略フロー図である。
【図５】図１のＢＡＮを介したＢＡＮコントローラ通信の方法の少なくとも１つの実施形態の簡略フロー図である。
【図６】一連の周波数帯域にわたって生体組織を通るＢＣＣを介してデータ送信の比誘電率と導電率を示すグラフである。
【図７】バイオフィードバック信号およびＢＣＣ信号の周波数範囲を示す簡略グラフである。
【発明を実施するための形態】
【０００６】
本開示の概念は様々な変形例および代替形態の影響を受けやすいが、その特定の実施形態は図中の例によって示されており、本明細書において詳細に記載される。しかしながら、本開示の概念を開示された特定の形態に限定する意図はなく、反対に、本開示および添付の請求項と一致するすべての変形例、均等物、および代替例を包含するよう意図されることが、理解されるべきである。
【０００７】
本明細書における「一実施形態」、「ある実施形態」、「説明的実施形態」などへの言及は、記載される実施形態が特定の特徴、構造、または特性を含んでもよいが、すべての実施形態が特定の特徴、構造、または特性を含んでも、必ずしも含まなくてもよいことを、意味する。また、このようなフレーズは、必ずしも同じ実施形態を指すとは限らない。さらに、特定の特徴、構造、または特性がある実施形態に関連して記載されるとき、明確に記載されていてもいなくても、別の実施形態と関連付けてこのような特徴、構造、または特性に影響を及ぼすことは、当業者の知識の範囲内であると認められる。加えて、「Ａ、Ｂ、およびＣのうちの少なくとも１つ」という形態のリストに含まれるアイテムは、（Ａ）；（Ｂ）；（Ｃ）；（ＡおよびＢ）；（ＡおよびＣ）；（ＢおよびＣ）；または（Ａ、Ｂ、およびＣ）を意味し得ることが、理解されるべきである。同様に、「Ａ、Ｂ、またはＣのうちの少なくとも１つ」という形態のリストに含まれるアイテムも、（Ａ）；（Ｂ）；（Ｃ）；（ＡおよびＢ）；（ＡおよびＣ）；（ＢおよびＣ）；または（Ａ、Ｂ、およびＣ）を意味し得る。
【０００８】
開示される実施形態は、場合により、ハードウェア、ファームウェア、ソフトウェア、または、これらのいずれかの組み合わせにおいて実施されてもよい。開示される実施形態はまた、一つまたはそれ以上の一時的または非一時的な機械可読（たとえば、コンピュータ可読）記憶媒体に担持（ｃａｒｒｉｅｄ  ｂｙ）または記憶された命令として実施されてもよく、これは一つまたはそれ以上のプロセッサによって読み取りおよび実行されてもよい。機械可読記憶媒体は、機械によって読み取り可能な形態の情報を記憶または送信するためのいずれの記憶装置、機構、またはその他の物理的構造として実現されてもよい（たとえば、揮発性または不揮発性メモリ、メディアディスク、またはその他の媒体装置）。
【０００９】
図中、いくつかの構造または方法の特徴は、特定の配置および／または順序で示される。しかしながら、このような特定の配置および／または順序が必要条件ではないことが、理解されるべきである。むしろ、いくつかの実施形態において、このような特徴は、説明図に示されるのとは異なるやり方および／または順序で配置されてもよい。加えて、特定の図に構造または方法の特徴を含むことは、すべての実施形態においてこのような特徴が必要とされることを暗示するものではなく、いくつかの実施形態では、含まれなくてもよく、あるいは別の特徴と組み合わせられてもよい。
【００１０】
ここで図１を参照すると、ボディエリアネットワーク（ＢＡＮ）システム１００の説明的実施形態は、ユーザ１０２に結合された一つまたはそれ以上のバイオフィードバックセンサ１０４およびＢＡＮコントローラ１０６を含み、これはユーザ１０２によって着用または別途担持されてもよい。使用中、以下により詳細に論じられるように、バイオフィードバックセンサ１０４およびＢＡＮコントローラ１０６は、ユーザ１０２の体内の通道組織（ｃｏｎｄｕｃｔｉｖｅ  ｔｉｓｓｕｅ）を通じて送受信される静電信号の使用を通じて、互いに通信するが、これは一般的に身体結合通信（ＢＣＣ：Ｂｏｄｙ−Ｃｏｕｐｌｅｄ  Ｃｏｍｍｕｎｉｃａｔｉｏｎ）と称される。ＢＡＮシステム１００において、バイオフィードバックセンサ１０４は、バイオフィードバックセンサ１０４の関連する局所センサを介してボディエリアネットワーク信号（ＢＡＮ信号）を検出するために、ユーザ１０２の身体と直接的および／または間接的に接触してもよい。同様に、ＢＡＮコントローラ１０６は、ＢＡＮ信号を介してバイオフィードバックセンサ１０４と通信するために、ユーザ１０２の身体と直接的および／または間接的に接触している。以下により詳細に論じられるように、感知されたＢＡＮ信号は、バイオフィードバック信号１１０成分およびＢＣＣ信号１０８成分を含む。ＢＣＣ信号１０８は、バイオフィードバックセンサ１０４とＢＡＮコントローラ１０６との間で通信を提供するために使用される。
【００１１】
バイオフィードバックセンサ１０４の各々は、ＢＡＮ信号に含まれる、ユーザ１０２の身体の器官の電気的活動信号などのバイオフィードバック信号１１０を感知し、対応するＢＣＣ信号１０８を用いて、感知されたバイオフィードバック信号１１０に基づいて生成されたセンサデータをＢＡＮコントローラ１０６に送信するように、構成されている。同様に、ＢＡＮコントローラ１０６は、対応するＢＣＣ信号１０８を介して、バイオフィードバックセンサ１０４に信号（たとえば、コマンド信号）を送信し、そこから信号（たとえば、センサデータを含む通信信号）を受信するように、構成されている。ここでも、ＢＣＣ信号１０８およびバイオフィードバック信号１１０はともにＢＡＮ信号を形成し、これは最初にバイオフィードバックセンサ１０４およびＢＡＮコントローラ１０６によって感知されることが、理解されるべきである。以下により詳細に論じられるように、ユーザの身体によって生成された最も関連のあるバイオフィードバック信号１１０は、低周波信号として実現される。したがって、バイオフィードバックセンサ１０４およびＢＡＮコントローラ１０６は、信号干渉を回避するために、典型的なバイオフィードバック信号１１０よりも高い周波数で送信されたＢＣＣ信号１０８を用いて、互いに通信する。このようにして身体結合通信を受信するために、バイオフィードバックセンサ１０４およびＢＡＮコントローラ１０６は感知されたＢＡＮ信号を、個々のバイオフィードバック信号１１０および受信したＢＣＣ信号１０８（利用可能であれば）に逆多重化（ｄｅｍｕｌｔｉｐｌｅｘ）するように構成されている。同様に、身体結合通信を送信するために、バイオフィードバックセンサ１０４およびＢＡＮコントローラ１０６は、送信されたＢＣＣ信号１０８をいずれかの関知されたバイオフィードバック信号１１０と多重化（ｍｕｌｔｉｐｌｅｘ）するように構成されている。このようにして、バイオフィードバックセンサ１０４およびＢＡＮコントローラ１０６はＢＣＣ信号１０８を介して互いに通信してもよく、その間、バイオフィードバック信号１１０の監視または感知を継続してもよい。
【００１２】
ここで図２を参照すると、説明的実施形態において、システム１００のバイオフィードバックセンサ１０４は、身体インターフェース２０２、信号マルチプレクサ２０４、ボディエリアネットワーク通信回路２０６、センサ信号調整回路２０８、および、センサコントローラ２１０を含む。当然ながら、バイオフィードバックセンサ１０４は、その他の実施形態において、典型的なバイオフィードバックセンサに見られる構成要素を含む、追加または別の構成要素を含んでもよい。身体インターフェース２０２は、ユーザ１０２の身体を介してＢＣＣ信号の送信または受信を容易にすることが可能な、いずれのタイプのインターフェースとして実現されてもよい。たとえば、身体インターフェース２０２は、伝導板（たとえば、金属板）、プローブ、電線、またはバイオフィードバックセンサ１０４をユーザ１０２の身体に通信可能に結合することが可能なその他の接続として、実現されてもよい。いくつかの実施形態において、身体インターフェース２０２は、ユーザ１０２の身体の皮膚と直接的に接触するか、または導電性ゲルなど、ユーザ１０２の身体の皮膚に付着した導電媒質（すなわち、湿式接触インターフェース）と直接的に接触していてもよい。別の実施形態において、身体インターフェース２０２は、ウェアラブルデバイス用途などで、ユーザ１０２の身体の皮膚と（たとえば、ユーザ１０２の衣服を通じて）間接的に接触していてもよい。このような実施形態において、バイオフィードバックセンサ１０４は、ウェアラブルデバイスをユーザ１０２の身体に固定するためのストラップまたはその他の装置を含んでもよい。いくつかの実施形態において、身体インターフェース２０２は、（たとえば、電気皮膚反応が測定されるこれらの用途において）測定されているバイオフィードバック信号のタイプまたはその他の基準に応じて、複数のインターフェース装置（たとえば、複数の伝導板）として実現されてもよいことが、理解されるべきである。
【００１３】
信号マルチプレクサ２０４は、複数の周波数範囲を多重化および／または逆多重化（たとえば、フィルタリング）することが可能な、いずれのタイプの信号マルチプレクサとして実現されてもよい。説明的実施形態において、信号マルチプレクサ２０４は、ＢＡＮ信号を受信および送信するために身体インターフェース２０２と結合された入力部（ｉｎｐｕｔ）を有する双方向ダイプレクサとして、実現される。説明用の双方向ダイプレクサは、２つの出力部（ｏｕｔｐｕｔ）も有する−１つはＢＣＣ信号１０８が通るもの（受信および送信されるもの）であり、もう１つはバイオフィードバック信号１１０が通るもの（受信バイオフィードバック信号１１０または送信バイオフィードバック刺激信号）である。つまり、信号マルチプレクサ２０４は、感知されたＢＡＮ信号を、入力ＢＣＣ信号１０８（利用可能であれば）およびバイオフィードバック信号１１０に逆多重化するように構成されている。加えて、信号マルチプレクサ２０４は、いずれの出力ＢＣＣ信号１０８（たとえば、バイオフィードバックセンサ１０４からＢＡＮコントローラ１０６に送信されるＢＣＣ信号）もいずれかの感知されたバイオフィードバック信号１１０と多重化するように構成されている。説明的実施形態において、受信したバイオフィードバック信号１１０は、１つの経路上の信号マルチプレクサ２０４を通過でき、出力ＢＣＣ信号１０８は別の経路上の信号マルチプレクサ２０４を通過できることが、理解されるべきである。上記で論じられたように、ＢＣＣ信号１０８およびバイオフィードバック信号１１０は、周波数の違いによる干渉を伴わずに同じポート上に共存することができる。したがって、説明用の信号マルチプレクサ２０４は、ユーザ１０２によるセンサデータの監視用のＢＡＮコントローラ１０６との身体結合通信を維持しながら、バイオフィードバックセンサ１０４によってリアルタイムでセンサデータが収集されるようにする。
【００１４】
説明的実施形態において、信号マルチプレクサ２０４のバイオフィードバック信号出力は、上限周波数未満のＢＡＮ信号（たとえば、約１５０Ｈｚ未満の信号）を通す、ローパスフィルタ特性を有する。加えて、説明的実施形態において、信号マルチプレクサ２０４のＢＣＣ信号出力は、下限周波数より高いＢＡＮ信号（たとえば、１ＭＨｚを超える信号）を通す、ハイパスフィルタ特性を有する。いくつかの実施形態において、信号マルチプレクサ２０４のＢＣＣ信号出力は、下限周波数と上限周波数との間のＢＡＮ信号を通す、バンドパスフィルタ特性を有してもよい。たとえば、説明的実施形態において、ＢＣＣ信号出力は１ＭＨｚから１００ＭＨｚの間のＢＡＮ信号を通すが、これは図５および図６に関連して後に詳細に論じられるような人間のユーザ１０２の身体にデータ搬送信号を通すために有用な周波数範囲である。いくつかの実施形態において、信号マルチプレクサ２０４は、ローパスフィルタ、ハイパスフィルタ、バンドパスフィルタなどを含む、一つまたはそれ以上の離散フィルタとして実現され、あるいは別途これらを含んでもよい。加えて、または代わりに、いくつかの実施形態において、信号マルチプレクサ２０４は、信号減衰器、または感知されたＢＡＮ信号をＢＣＣ信号１０８およびバイオフィードバック信号１１０に分離するのに有用なその他の電気装置または回路を含んでもよい。
【００１５】
説明的実施形態において、信号マルチプレクサ２０４のＢＣＣ信号出力はＢＡＮ通信回路２０６と結合され、信号マルチプレクサ２０４のバイオフィードバック信号出力はセンサ信号調整回路２０８と結合される。ＢＡＮ通信回路２０６は、身体結合通信を用いてバイオフィードバックセンサ１０４とＢＡＮコントローラ１０６との間の通信を可能にできる、いずれのタイプの通信回路として実現されてもよい。説明的実施形態において、ＢＡＮ通信回路２０６は、センサデータを含むＢＣＣ信号１０８（すなわち、通信信号）をＢＡＮコントローラ１０６および／またはその他のバイオフィードバックセンサ１０４に送信し、そこからＢＣＣ信号１０８を受信するための、物理層双方向トランシーバとして実現される。
【００１６】
センサ信号調整回路２０８は、バイオフィードバック信号１１０を調整または別途感知することが可能な、いずれのタイプのセンサ回路として実現されてもよい。たとえば、説明的実施形態において、センサ信号調整回路２０８は、センサコントローラ２１０によるさらなる処理または分析のためにバイオフィードバック信号１１０を準備するためにバイオフィードバック信号１１０を前処理するように構成された物理層センサ回路として、実現される。これを行うために、センサ信号調整回路２０８は、トランスインピーダンス増幅器、可変利得増幅器、一つまたはそれ以上のフィルタ、および／またはその他の信号調整部品を含むがこれらに限定されない、信号調整またはその他のセンサ装置またはサブ回路を、いくつ含んでもよい。いくつかの実施形態において、センサのタイプに応じて、センサ信号調整回路２０８は、一方向性であっても双方向性であってもよい。センサ信号調整回路２０８は、電気的活動レベルセンサ、ガルバニ電位センサ、および／または皮膚抵抗センサを含むがこれらに限定されない、専用センサ回路を形成してもよいことが、理解されるべきである。加えて、いくつかの実施形態において、バイオフィードバックセンサ１０４は、異なるタイプのバイオフィードバック信号１１０の感知を容易にするために、一つまたはそれ以上のセンサ信号調整回路２０８を含んでもよいことも、理解されるべきである。
【００１７】
説明的実施形態において、ＢＡＮ通信回路２０６およびセンサ信号調整回路２０８の各々は、センサコントローラ２１０に結合されている。センサコントローラ２１０は、バイオフィードバック信号１１０に基づいてセンサデータを生成し、センサデータをＢＡＮコントローラ１０６に送信するようにＢＡＮ通信回路２０６を制御することが可能な、いずれのタイプのコントローラまたは制御回路として実現されてもよい。たとえば、センサコントローラ２１０は、シングルまたはマルチコアプロセッサ、デジタル信号プロセッサ、マイクロコントローラ、もしくは、その他のプロセッサまたは処理／制御回路として実現されてもよい。説明的実施形態において、センサコントローラ２１０は、ＢＣＣ信号１０８およびバイオフィードバック信号１１０を制御および処理することが可能なメディアアクセスコントローラ（ＭＡＣ：Ｍｅｄｉａ  Ａｃｃｅｓｓ  Ｃｏｎｔｒｏｌｌｅｒ）として実現される。センサコントローラ２１０は、ＢＡＮコントローラ１０６から受信したＢＣＣ信号１０８（たとえば、コマンド信号）に応答することが、さらに可能である。たとえば、センサコントローラ２１０が（以下に論じられるような）問い合わせコマンド（ｉｎｔｅｒｒｏｇａｔｉｏｎ  ｃｏｍｍａｎｄ）を含むＢＡＮコントローラ１０６からのＢＣＣ信号１０８を受信した場合、センサコントローラ２１０は、（たとえばセンサデータを送信することまたはその他何らかの動作を行うことによって）このようなコマンドに応答するように構成されてもよい。
【００１８】
説明的実施形態において、バイオフィードバックセンサ１０４の各々は、各バイオフィードバックセンサ１０４の様々な構成要素に電力を供給するための、局所的な電源２１２を含む。電源２１２は、その他の実施形態においてバイオフィードバックセンサ１０４の各々に電力を供給することが可能ないずれのタイプの電力供給源として実現されてもよいことは理解されるものの、説明的実施形態において、電源２１２は電池として実現される。加えて、いくつかの実施形態において、電源２１２は、再充電可能な電源として実現されてもよい。
【００１９】
ここで図３を参照すると、説明的実施形態において、ＢＡＮコントローラ１０６は、身体インターフェース３０２、信号マルチプレクサ３０４、ＢＡＮ通信回路３０６、および電源３１２を含み、その各々は、図２のバイオフィードバックセンサ１０４の対応する構成要素と同じように構成され、同じように機能する。たとえば、信号マルチプレクサ２０４に関連して先に記載されたように、信号マルチプレクサ３０４は、説明的実施形態において、双方向ダイプレクサとして実現されてもよい。図２に関連して上記で提供された対応する構成要素の説明はＢＡＮコントローラ１０６の対応する構成要素にも等しく適用されるという理解の下、説明の明確さのために、ＢＡＮコントローラ１０６のこれら構成要素のさらなる説明は本明細書において繰り返されない。いくつかの実施形態において、ＢＡＮコントローラ１０６は、センサとして機能するようにさらに構成されてもよく、したがってセンサ信号調整回路３０８を含んでもよく、これは図２のバイオフィードバックセンサ１０４のセンサ信号調整回路２０８と同じように機能する。
【００２０】
説明的実施形態において、ＢＡＮコントローラ１０６はまた、ＢＡＮ通信回路３０６および、該当すればセンサ信号調整回路３０８に結合された、ＢＡＮシステムコントローラ３１０も含む。ＢＡＮシステムコントローラ３１０は、バイオフィードバック装置１０６から受信した通信信号（すなわち、センサデータを含むＢＣＣ信号１０８）を解釈し、通信信号に基づいて出力データを生成するように構成された、いずれのタイプのコントローラとして実現されてもよい。たとえば、ＢＡＮシステムコントローラ３１０は、シングルまたはマルチコアプロセッサ、デジタル信号プロセッサ、マイクロコントローラ、もしくは、その他のプロセッサまたは処理／制御回路として実現されてもよい。
【００２１】
いくつかの実施形態において、ＢＡＮシステムコントローラ３１０は、一つまたはそれ以上の入力インターフェース３１４および／または出力インターフェース３１６に、さらに結合されている。入力インターフェース３１４の各々は、ユーザ１０２からの入力を受信することが可能な、いずれのタイプのヒューマンマシンインターフェース（ＨＭＩ：Ｈｕｍａｎ−Ｍａｃｈｉｎｅ  Ｉｎｔｅｒｆａｃｅ）として実現されてもよい。たとえば、入力インターフェース３１４は、一つまたはそれ以上の物理的または仮想ボタン、キーパッド、ダイヤル、またはその他の入力装置として実現されてもよい。加えて、いくつかの実施形態において、入力インターフェース３１４は、ＢＡＮコントローラ１０６のハンズフリー操作を容易にするためにユーザ１０２の音声を命令に翻訳および処理することが可能なマイクロフォンとして実現されるか、または別途これを含んでもよい。
【００２２】
出力インターフェース３１６の各々は、ＢＡＮシステムコントローラ３１０によって生成された出力データに基づいてユーザ１０２にフィードバックを提供することが可能な、いずれのタイプの出力装置として実現されてもよい。たとえば、出力インターフェース３１６は、視覚、聴覚、または触覚出力装置として実現されてもよい。説明的実施形態において、出力インターフェース３１６は、視覚フィードバックを提供するように構成されたディスプレイ、および／または、聴覚フィードバックを提供するためのスピーカを含む。ディスプレイは、液晶ディスプレイ（ＬＣＤ）、発光ダイオード（ＬＥＤ）、プラズマディスプレイ、ブラウン管（ＣＲＴ）、またはその他のタイプのディスプレイ装置など、デジタル情報を表示することが可能ないずれのタイプのディスプレイとして実現されてもよい。いくつかの実施形態において、入力インターフェース３１４は、出力インターフェース３１６に結合されるか、または別途これに埋め込まれてもよい。たとえば、ディスプレイは、ユーザ１０２がＢＡＮシステムコントローラ３１０と対話できるようにするためのタッチスクリーンと結合されてもよい。
【００２３】
いくつかの実施形態において、ＢＡＮシステムコントローラ３１０は、一つまたはそれ以上の外部アクチュエータに接続されてもよく、ＢＡＮシステムコントローラ３１０からのアクチュエータコマンドを受信および解釈するように構成された外部および／または内部に取り付けられた装置に対して（たとえばセンサデータに基づく）動作を行うように構成されてもよい。たとえば、ＢＡＮシステムコントローラ３１０は、ユーザ１０２へのインスリン投与を制御するためのインスリンポンプまたはその他の医療機器のアクチュエータに結合されてもよい。
【００２４】
いくつかの実施形態において、ＢＡＮコントローラ１０６は、追加および／または代替の特徴または構成要素を含んでもよい。このような追加構成要素は、追加および／または代替のフィードバックを判断するための加速度計および／またはジャイロスコープを含んでもよいが、これらに限定されるものではない。さらに、ＢＡＮコントローラ１０６および／またはバイオフィードバックセンサ１０４は、データ記憶装置、メモリ、通信回路、Ｉ／Ｏシステムなどを含むがこれらに限定されない、説明の明確さを維持するために、図２および図３には示されない、追加および／または代替の構成要素を含んでもよい。いくつかの実施形態において、バイオフィードバックセンサ１０４は、それぞれユーザ１０２からの入力を受信してユーザ１０２に対してセンサフィードバックを出力するための、ＢＡＮコントローラ１０６と類似の入力および出力インターフェースを追加で含んでもよい。
【００２５】
ここで図４を参照すると、使用中、各バイオフィードバックセンサ１０４は、感知されたＢＡＮ信号を受信してＢＣＣ信号１０８およびバイオフィードバック信号１１０に逆多重化する方法４００を、実行してもよい。方法４００は、ブロック４０２で始まるが、ここでバイオフィードバックセンサ１０４は、身体インターフェース２０２を介してＢＡＮ信号を感知または検出する。上記で論じられたように、ＢＡＮ信号は、ユーザ１０２の身体によって自然に生成されたバイオフィードバック信号１１０を含み、ＢＡＮコントローラ１０６（またはその他のバイオフィードバックセンサ１０４）によって生成されたＢＣＣ信号１０８も含んでよい。バイオフィードバックセンサ１０４のタイプ（たとえば、センサ信号調整回路２０８のタイプ）に応じて、バイオフィードバックセンサ１０４は、ＢＡＮ信号からいずれのタイプのバイオフィードバック信号１１０を感知または検出するように構成されてもよい。たとえば、いくつかの実施形態において、バイオフィードバックセンサ１０４は、ブロック４０４において、バイオフィードバック問い合わせ信号（ｉｎｔｅｒｒｏｇａｔｉｏｎ  ｓｉｇｎａｌ）を生成するように構成されてもよく、これは所望のバイオフィードバック信号１１０を適切に感知または検出するために、身体インターフェース２０２を介してユーザ１０２の身体に適用される。バイオフィードバック問い合わせ信号は、たとえば、ユーザ１０２のバイオフィードバック特性（たとえば、電気反応）を測定するために使用される、電圧またはその他の生体電気信号として、実現されてもよい。連続通信を容易にするために、バイオフィードバック問い合わせ信号は、双方向信号マルチプレクサ２０４を介して、いずれかの入力および／または出力ＢＣＣ信号１０８と多重化されてもよい。
【００２６】
ＢＡＮ信号がブロック４０２において感知または受信された場合、方法４００は、ブロック４０６に進む。ブロック４０６において、バイオフィードバックセンサ１０４の信号マルチプレクサ２０４は、受信したＢＡＮ信号を逆多重化する。たとえば、信号マルチプレクサ２０４がダイプレクサとして実現される説明的実施形態において、信号マルチプレクサ２０４は、ＢＡＮ信号を２つの出力に逆多重化する。出力のうちの１つは、バイオフィードバック信号１１０として実現され、以下に論じられるブロック４０８から４１４の方法フローを介して取り扱われ、他方の出力は、ＢＣＣ信号１０８として実現され、ブロック４１６から４２２の方法フローを介して取り扱われる。
【００２７】
ブロック４０８において、センサ信号調整回路２０８は、バイオフィードバックセンサ信号を調整する。監視されているバイオフィードバック信号１１０のタイプおよび／またはバイオフィードバックセンサ１０４のタイプに基づいて、センサ信号調整回路２０８は、バイオフィードバック信号１１０に対していずれの有用な調整を実行してもよい。たとえば、バイオフィードバック信号１１０は、センサ信号調整回路２０８によって、ブロック４０８において、増幅、フィルタリング、量子化、変換、または別途適応させられてもよい。
【００２８】
いくつかの実施形態において、バイオフィードバックセンサ１０４はある程度の処理能力を有してもよい。したがって、ブロック４１０において、センサコントローラ２１０は、調整されたバイオフィードバック信号１１０に対して処理を実行してもよい。たとえば、センサコントローラ２１０は、調整されたバイオフィードバック信号１１０を表すか、または、別途これに基づくセンサデータを生成してもよい。加えて、別の実施形態において、センサコントローラ２１０は、時間をかけてバイオフィードバック信号を蓄積および／または集約し、このようなバイオフィードバック信号を表す周期的、または、集約されたセンサデータを生成するように、構成されてもよい。
【００２９】
ブロック４１２において、バイオフィードバックセンサ１０４は、バイオフィードバックセンサ信号のセンサデータを送信するか否かを判断する。上記で論じられたように、いくつかの実施形態において、バイオフィードバックセンサ１０４は、センサデータを送信する前にデータの「チャンク（”ｃｈｕｎｋ”）」を集約してもよい。たとえば、バイオフィードバックセンサ１０４は、予め設定された時間間隔でセンサデータを送信するようにだけ構成されてもよく、送信時間間隔の間において生成または感知されたすべてのセンサデータ（または生バイオフィードバック信号１１０）は、次の送信において「チャンク」として送られるまで局所的に記憶および集約されてもよい。別の実施形態において、バイオフィードバックセンサ１０４は、一旦センサデータの集約が所定のサイズに到達すると、センサデータを送信するようにだけ構成されてもよい。バイオフィードバックセンサ１０４がセンサデータを送信しないように判断した場合、方法４００はブロック４０２に戻る。しかしながら、バイオフィードバックセンサ１０４がセンサデータを送信するように判断した場合には、方法４００はブロック４１４に進む。
【００３０】
ブロック４１４において、センサデータは、ＢＣＣ信号１０８を介してＢＡＮコントローラ１０６に送信される。これを行うために、バイオフィードバックセンサ１０４のセンサコントローラ２１０は、センサデータを生成し、ＢＣＣ信号１０８としてセンサデータを送信するようにボディエリアネットワーク通信回路２０６を制御してもよい。たとえば、いくつかの実施形態において、センサコントローラ２１０は、ＢＣＣ信号１０８の搬送波信号を用いて通信信号（すなわち、センサデータ）を変調してもよい。上記で論じられたように、出力ＢＣＣ信号１０８は、双方向信号マルチプレクサ２０４を介して、いずれかの感知されたバイオフィードバック信号１１０（および出力バイオフィードバック問い合わせ信号）と多重化されてもよい。
【００３１】
ブロック４０６に戻って参照すると、上記で論じられたように、信号マルチプレクサ２０４は、また、感知されたＢＡＮ信号からＢＣＣ信号１０８を創出するが、これはブロック４１６から４２２の方法フローによって取り扱われる。ブロック４１６において、バイオフィードバックセンサ１０４は、ＢＣＣ信号１０８がＢＡＮコントローラ１０６から送信された通信信号であるか否かを判断する。否の場合、方法４００は、バイオフィードバックセンサ１０４がＢＡＮ信号を感知または検出し続ける、ブロック４０２に戻る。しかしながら、ＢＣＣ信号１０８がＢＡＮコントローラ１０６からの通信信号である場合には、方法４００は、ＢＣＣ信号１０８がバイオフィードバックセンサ１０４によって処理されるブロック４１８に進む。当然ながら、いくつかの実施形態において、ＢＣＣ信号１０８は、ＢＡＮコントローラ１０６ではなく、別のバイオフィードバックセンサ１０４から送信されてもよいことが、理解されるべきである。いずれにせよ、ＢＣＣ信号１０８が信号マルチプレクサ２０４によって感知および創出された場合、バイオフィードバックセンサ１０４は、ブロック４１８においてこのような信号を処理してもよい。
【００３２】
説明的実施形態において、ＢＣＣ信号１０８は、ボディエリアネットワーク通信回路２０６によって受信されるが、これは通信データを生成するためにＢＣＣ信号１０８に対して信号調整および／またはその他の通信処理（たとえば、プロトコルストリッピング）を実行してもよい。生成された通信データは、センサコントローラ２１０に渡され、これは通信データをさらに処理してもよい。通信データのタイプに応じて、センサコントローラ２１０は、特定の動作を実行してもよい。たとえば、ブロック４２０において、通信データは、（たとえば集約または記憶されたセンサデータの「チャンク」を送ることによって）ＢＡＮコントローラ１０６に応答するように、バイオフィードバックセンサ１０４に指示してもよい。加えて、または代わりに、バイオフィードバックセンサ１０４は、センサ感度を調整する、監視される特定のバイオフィードバック信号を変化させる、報告ウィンドウおよび／または報告されるセンサデータの量を調整するなどの様々なセンサ機能、および／またはバイオフィードバックセンサ１０４の動作に関連するその他の機能を実行してもよい。いずれにせよ、ＢＣＣ信号１０８がブロック４１８において処理された後、方法４００は、バイオフィードバックセンサ１０４がＢＡＮ信号を感知または検出し続けるブロック４０２に戻る。
【００３３】
ここで図５を参照すると、使用中、ＢＡＮコントローラ１０６は、感知されたＢＡＮ信号を受信してＢＣＣ信号１０８に逆多重化する方法５００を実行してもよい。方法５００はブロック５０２で始まるが、ここでＢＡＮコントローラ１０６は、身体インターフェース３０２を介してＢＡＮ信号を受信する。ＢＡＮ信号がブロック５０２において感知または受信された場合、方法５００は、ブロック５０４に進む。ブロック５０４において、ＢＡＮコントローラ１０６の信号マルチプレクサ３０４は、ＢＣＣ信号１０８を創出するために、受信したＢＡＮ信号を逆多重化する。たとえば、上記で論じられたように、信号マルチプレクサ３０４は、ＢＣＣ信号１０８を創出するために受信したＢＡＮ信号にハイパスフィルタを適用してもよい。あるいは、いくつかの実施形態において、信号マルチプレクサ３０４は、ＢＣＣ信号１０８を創出するために、受信したＢＡＮ信号にバンドパスフィルタを適用する。このような実施形態において、信号マルチプレクサ３０４は、バンドパス周波数範囲に対応する周波数の範囲（たとえば、１ＭＨｚから１００ＭＨｚの間）のみを通過する。いずれにせよ、フィルタリングまたは創出されたＢＣＣ信号１０８は、ブロック５０６から５１４の方法フローによって取り扱われる。
【００３４】
ブロック５０６において、ＢＡＮコントローラ１０６は、ＢＣＣ信号１０８がバイオフィードバックセンサ１０４のうちの１つによって生成されたか否かを判断する。これを行うために、いくつかの実施形態において、上記で論じられたように、対応するバイオフィードバックセンサ１０４によって送信されたＢＣＣ信号１０８に、バイオフィードバックセンサ１０４の各々に対応する固有識別子が含まれてもよい。当然ながら、別の実施形態において、ＢＡＮコントローラ１０６は、バイオフィードバックセンサ１０４の代わりに、またはこれに加えて、ＢＡＮシステム１００の他の装置からの通信を受信してもよい。
【００３５】
感知されたＢＡＮ信号に含まれるＢＣＣ信号１０８がないとＢＡＮコントローラ１０６が判断した場合、方法５００は、ブロック５０２に戻る。しかしながら、ＢＣＣ信号１０８があるとＢＡＮコントローラ１０６が判断した場合に、方法は、ＢＡＮコントローラ１０６がＢＣＣ信号１０８を処理するブロック５０８に進む。これを行うために、ＢＣＣ信号１０８は、ＢＡＮ通信回路３０６によって受信されるが、これは通信データを生成するために、ＢＣＣ信号１０８に対して信号調整および／またはその他の通信処理（たとえば、プロトコルストリッピング）を実行してもよい。生成された通信データは、ＢＡＮコントローラ１０６のＢＡＮシステムコントローラ３１０に渡され、これは通信データをさらに処理してもよい。たとえば、ブロック５１０において、ＢＡＮコントローラ１０６は、一つまたはそれ以上のバイオフィードバックセンサ１０４から受信したセンサデータを集約するように構成されてもよい。いくつかの実施形態において、集約されたデータは、ＢＡＮコントローラ１０６のローカルメモリに記憶されてもよい。加えて、いくつかの実施形態において、ＢＡＮコントローラ１０６は、ブロック５１２において出力を生成してもよい。たとえば、ＢＡＮコントローラ１０６は、ユーザ１０２による監視のためにセンサデータをリアルタイム、または、ほぼリアルタイムで表示し、センサデータのグラフィックスまたはその他の印を表示し、および／または、出力インターフェース３１６のうちの一つまたはそれ以上でその他の出力を生成してもよい。さらに、いくつかの実施形態では、ブロック５１４において、ＢＡＮコントローラ１０６はセンサデータを処理し、センサデータに基づいてユーザ１０２に対する警告を生成してもよい。たとえば、ＢＡＮコントローラ１０６は、センサデータが予想される範囲外である（たとえば、検出された心拍数が心拍数の警告閾値を超える）場合に、警告を生成してもよい。ＢＡＮコントローラ１０６は、たとえば聴覚、視覚、または触覚警告を含む、いずれのタイプの警告を生成してもよい。いくつかの実施形態において、一般的に、ＢＡＮコントローラ１０６、および、特にＢＡＮシステムコントローラ３１０の挙動は、入力インターフェース３１４を介してユーザ１０２によって影響を受ける可能性がある。
【００３６】
上記で論じられたように、ＢＡＮコントローラ１０６は、いくつかの実施形態において、バイオフィードバック感知能力を含んでもよい。このような実施形態において、信号マルチプレクサ３０４は、バイオフィードバック信号１１０をさらに創出してもよく、これはブロック５１６および５１８の方法フローを介して取り扱われる。ブロック５１６において、センサ信号調整回路３０８は、バイオフィードバック信号１１０を調整する。ここでも、監視されるバイオフィードバック信号１１０のタイプおよび／またはバイオフィードバックセンサ１０４のタイプに基づいて、センサ信号調整回路３０８は、バイオフィードバック信号１１０に対して、いずれの有用な調整を実行してもよい。たとえば、バイオフィードバック信号１１０は、センサ信号調整回路３０８によって、ブロック４０８において増幅、フィルタリング、量子化、変換、または別途適応させられてもよい。
【００３７】
バイオフィードバックセンサ１０４と同様に、ＢＡＮコントローラ１０６は、ブロック５１８において調整されたバイオフィードバック信号１１０に対して処理を実行してもよい。たとえば、ＢＡＮコントローラ１０６は、調整されたバイオフィードバック信号１１０を表すか、または、別途これに基づく、センサデータを生成してもよい。加えて、別の実施形態において、ＢＡＮコントローラ１０６は、時間をかけてバイオフィードバック信号を蓄積および／または集約し、このようなバイオフィードバック信号を表す周期的、または、集約されたセンサデータを生成するように、構成されてもよい。さらに、上記で論じられたように、ＢＡＮコントローラ１０６は、このようなセンサデータに基づいて出力および／または警告を生成してもよい。
【００３８】
ＢＡＮコントローラ１０６が、ブロック５０８においてＢＣＣ信号１０８を処理し、および／または、ブロック５１８においていずれか感知されたバイオフィードバック信号１１０を処理した後、方法５００は、いずれかの制御信号またはその他の通信が一つまたはそれ以上のバイオフィードバックセンサ１０４に送信されるべきか否かをＢＡＮコントローラ１０６が判断する、ブロック５２０に進む。上記で論じられたように、ＢＡＮコントローラ１０６は、感知されたデータを回収するため、および／または、バイオフィードバックセンサ１０４の動作を制御するために、制御通信をバイオフィードバックセンサ１０４に送信してもよい。ＢＡＮコントローラ１０６が制御信号を送信すると判断した場合、方法５００は、身体結合通信を用いて一つまたはそれ以上のバイオフィードバックセンサ１０４に制御またはその他の通信信号をＢＡＮコントローラ１０６が送信する、ブロック５２２に進む。上記で論じられたように、このような出力ＢＣＣ信号１０８は、いずれも信号マルチプレクサ３０４を通じて送信され、これは出力ＢＣＣ信号１０８をいずれかの感知されたバイオフィードバック信号１１０と多重化してもよい。なお、ＢＡＮコントローラ１０６からの送信は、ブロードキャスト送信として実現されてもよいことが、理解されるべきであり、これはＢＡＮシステム１００の各バイオフィードバックセンサ１０４によって受信される。あるいは、送信は、特定のバイオフィードバックセンサ１０４によって（たとえば、所望のバイオフィードバックセンサ１０４の識別子の包含を通じて）受信される指示送信として、実現されてもよい。
【００３９】
ここで図６を参照すると、グラフ６００は、生物組織の誘電スペクトルにわたるユーザ１０２の生体組織の複素誘電率および導電率の理想的な周波数依存性を示す。グラフ６００は、ヘルツ周波数範囲（すなわち、低周波数範囲）のアルファ分布、ＫＨｚからＭＨｚの周波数範囲（すなわち、中周波数範囲）のベータ分布、およびＭＨｚ周波数範囲を超える（すなわち、高周波数範囲）のガンマ分布周波数範囲にわたる、比誘電率データ点６０２および導電率データ点６０４を含む。グラフ６００は、様々な周波数で情報を送信するユーザ１０２の身体の実効ケーパビリティ（ｅｆｆｅｃｔｉｖｅ  ｃａｐａｂｉｌｉｔｙ）を示すことが、理解されるべきである。図示されるように、結合インピーダンスは周波数とともに低下する一方で、実効インピーダンスは上昇する。したがって、導電率と誘電率とのバランスが「最適に」、または、望ましく均衡する周波数範囲（すなわち、数ＭＨｚから数百ＭＨｚの間）がある。特定された周波数範囲において、ユーザ１０２の身体上の２点間で伝送された信号エネルギーは、最大化または別途増加する。
【００４０】
ここで図７を参照すると、簡略グラフ７００は、信号マルチプレクサ２０４、３０４のフィルタリング機能の実施形態を示す。上記で論じられたように、信号マルチプレクサ２０４、３０４は、感知されたＢＡＮ信号を入力ＢＣＣ信号１０８およびバイオフィードバック信号１１０に逆多重化し、いずれの出力ＢＣＣ信号１０８も入力バイオフィードバック信号１１０（および／または出力バイオフィードバック問い合わせ信号）と多重化する。したがって、図７に示されるように、バイオフィードバック信号１１０は、１Ｈｚから１５０Ｈｚの周波数範囲（すなわち、低周波数範囲）で応答するように、ローパスフィルタ機能を介してフィルタリングされており、ＢＣＣ信号１０８は、１ＭＨｚから１００ＭＨｚの周波数範囲（すなわち、高周波数範囲）で応答するように、バンドパスフィルタ機能を介してフィルタリングされている。このようにして、２つの信号１０８、１１０は、個々の信号１０８、１１０間の干渉を最小限にしてＢＡＮ信号中に共存することができる。
【００４１】
実施例
本明細書に開示される技術の説明例が、以下に提供される。この技術の実施形態は、以下に記載される実施例のうちのいずれか一つまたはそれ以上、および、あらゆる組み合わせを含んでもよい。
【００４２】
実施例１は、ユーザのバイオフィードバック信号を感知するためのバイオフィードバックセンサを含み、バイオフィードバックセンサは、ボディエリアネットワーク信号を受信するための身体インターフェースと；ボディエリアネットワーク信号を受信するために身体インターフェースと結合された入力部、第一出力部、および第二出力部を有する信号マルチプレクサであって、信号マルチプレクサは第一出力部でバイオフィードバック信号を、第二出力部で身体結合通信信号を創出するためにボディエリアネットワーク信号を逆多重化する、信号マルチプレクサと；信号マルチプレクサの第一出力部と結合されたセンサ信号調整回路であり、センサ信号調整回路はバイオフィードバック信号を処理する、センサ信号調整回路と；信号マルチプレクサの第二出力部と結合されたボディエリアネットワーク通信回路であり、ボディエリアネットワーク通信回路は身体結合通信信号を処理する、ボディエリアネットワーク通信回路と、を備える。
【００４３】
実施例２は、実施例１の内容を含み、ボディエリアネットワーク通信回路は、さらに出力身体結合通信信号を送信するようになっており、信号マルチプレクサは、出力身体結合通信信号をバイオフィードバック信号と多重化するための双方向信号マルチプレクサを備える。
【００４４】
実施例３は、実施例１および２のいずれかの内容を含み、バイオフィードバック信号に基づいてセンサデータを生成し、身体結合通信を介してボディエリアネットワークコントローラにセンサデータを送信するようにボディエリアネットワーク通信回路を制御するための、センサコントローラをさらに含む。
【００４５】
実施例４は、実施例１から３のいずれかの内容を含み、センサデータは、バイオフィードバックセンサに対応する固有識別子を含む。
【００４６】
実施例５は、実施例１から４のいずれかの内容を含み、センサコントローラは、メディアアクセスコントローラを備える。
【００４７】
実施例６は、実施例１から５のいずれかの内容を含み、身体インターフェースは、導電性金属板を備える。
【００４８】
実施例７は、実施例１から６のいずれかの内容を含み、身体インターフェースは、ユーザの身体または導電媒質のうちの少なくとも１つと直接的に接触する。
【００４９】
実施例８は、実施例１から７のいずれかの内容を含み、身体インターフェースは、身体と間接的に接触する。
【００５０】
実施例９は、実施例１から８のいずれかの内容を含み、信号マルチプレクサは、ダイプレクサを備える。
【００５１】
実施例１０は、実施例１から９のいずれかの内容を含み、信号マルチプレクサは、ローパスフィルタまたはハイパスフィルタのうちの少なくとも１つを含む。
【００５２】
実施例１１は、実施例１から１０のいずれかの内容を含み、バイオフィードバック信号は、電気的活動レベル、ガルバニ電位、または、皮膚抵抗のうちの少なくとも１つを備える。
【００５３】
実施例１２は、実施例１から１１のいずれかの内容を含み、バイオフィードバック信号は、低周波数範囲内にあり、身体結合通信信号は、低周波数範囲より高い高周波数範囲内にある。
【００５４】
実施例１３は、実施例１から１２のいずれかの内容を含み、低周波数範囲は１Ｈｚから１５０Ｈｚであり、高周波数範囲は１ＭＨｚから１００ＭＨｚである。
【００５５】
実施例１４は、実施例１から１３のいずれかの内容を含み、センサ信号調整回路は、トランスインピーダンス増幅器、可変利得増幅器、または、フィルタのうちの少なくとも１つを含む。
【００５６】
実施例１５は、実施例１から１４のいずれかの内容を含み、センサ信号調整回路は、受信器、送信器、または、トランシーバのうちの少なくとも１つを含む。
【００５７】
実施例１６は、実施例１から１５のいずれかの内容を含み、ボディエリアネットワーク通信回路は、受信器、送信器、または、トランシーバのうちの少なくとも１つを含む。
【００５８】
実施例１７は、実施例１から１６のいずれかの内容を含み、バイオフィードバックセンサに電力を供給するための電源をさらに含む。
【００５９】
実施例１８は、一つまたはそれ以上のバイオフィードバックセンサを備えるボディエリアネットワークを制御するためのボディエリアネットワークコントローラを含み、ボディエリアネットワークコントローラは、ボディエリアネットワーク信号を受信するための身体インターフェースと；ボディエリアネットワーク信号を受信するために身体インターフェースと結合された入力部を有する信号マルチプレクサであり、信号マルチプレクサは身体結合通信信号を創出するためにボディエリアネットワーク信号を逆多重化し、身体結合通信信号は、身体結合通信によってバイオフィードバックセンサのうちの１つによって送信された通信信号を備える、信号マルチプレクサと；信号マルチプレクサと結合されたボディエリアネットワーク通信回路であり、ボディエリアネットワーク通信回路は通信信号を処理する、ボディエリアネットワーク通信回路と；通信信号に基づいて出力データを生成するためにボディエリアネットワーク通信回路と結合されたボディエリアネットワークシステムコントローラと、を備える。
【００６０】
実施例１９は、実施例１８の内容を含み、信号マルチプレクサと結合されたセンサ信号調整回路をさらに含み、信号マルチプレクサは、バイオフィードバック信号を創出するためにボディエリアネットワーク信号をさらに逆多重化し、センサ信号継続回路はバイオフィードバック信号を処理し、ボディエリアネットワークシステムコントローラは、バイオフィードバック信号に基づいてセンサデータを生成するためにセンサ信号調整回路とさらに結合されている。
【００６１】
実施例２０は、実施例１８および１９のいずれかの内容を含み、ボディエリアネットワーク通信回路は、出力身体結合通信信号をさらに送信し、信号マルチプレクサは、出力身体結合通信信号をバイオフィードバック信号と多重化するための双方向信号マルチプレクサを備える。
【００６２】
実施例２１は、実施例１８から２０のいずれかの内容を含み、バイオフィードバック信号は、電気的活動レベル、ガルバニ電位、または、皮膚抵抗のうちの少なくとも１つを備える。
【００６３】
実施例２２は、実施例１８から２１のいずれかの内容を含み、バイオフィードバック信号は、低周波数範囲内にあり、身体結合通信信号は、低周波数範囲より高い高周波数範囲内にある。
【００６４】
実施例２３は、実施例１８から２２のいずれかの内容を含み、低周波数範囲は１Ｈｚから１５０Ｈｚであり、高周波数範囲は１ＭＨｚから１００ＭＨｚである。
【００６５】
実施例２４は、実施例１８から２３のいずれかの内容を含み、センサ信号調整回路は、トランスインピーダンス増幅器、可変利得増幅器、または、フィルタのうちの少なくとも１つを含む。
【００６６】
実施例２５は、実施例１８から２４のいずれかの内容を含み、センサ信号調整回路は、受信器、送信器、または、トランシーバのうちの少なくとも１つを含む。
【００６７】
実施例２６は、実施例１８から２５のいずれかの内容を含み、出力データに基づいてボディエリアネットワークコントローラのユーザにフィードバックを提供するための出力インターフェースをさらに含む。
【００６８】
実施例２７は、実施例１８から２６のいずれかの内容を含み、ユーザへのフィードバックは、視覚フィードバック、聴覚フィードバック、または触覚フィードバックのうちの少なくとも１つを含む。
【００６９】
実施例２８は、実施例１８から２７のいずれかの内容を含み、バイオフィードバックセンサのうちの一つまたはそれ以上を制御するために、ボディエリアネットワークコントローラのユーザから入力コマンドを受信するための入力インターフェースをさらに含む。
【００７０】
実施例２９は、実施例１８から２８のいずれかの内容を含み、入力コマンドは、バイオフィードバックセンサのうちの一つまたはそれ以上からのセンサデータを要求するための問い合わせコマンド、または、バイオフィードバックセンサのうちの少なくとも１つに較正するよう命令するための較正コマンドのうちの少なくとも１つを含む。
【００７１】
実施例３０は、実施例１８から２９のいずれかの内容を含み、身体インターフェースは導電性金属板を備える。
【００７２】
実施例３１は、実施例１８から３０のいずれかの内容を含み、身体インターフェースは、ユーザの身体および導電媒質のうちの少なくとも１つと直接的に接触する。
【００７３】
実施例３２は、実施例１８から３１のいずれかの内容を含み、身体インターフェースは身体と間接的に接触する。
【００７４】
実施例３３は、実施例１８から３２のいずれかの内容を含み、ボディエリアネットワーク通信回路は、受信器、送信器、または、トランシーバのうちの少なくとも１つを含む。
【００７５】
実施例３４は、実施例１８から３３のいずれかの内容を含み、通信信号は、バイオフィードバックセンサによって感知されたバイオフィードバック信号に対応するセンサデータを含む。
【００７６】
実施例３５は、実施例１８から３４のいずれかの内容を含み、通信信号は、身体結合通信信号を送信したバイオフィードバックセンサに対応するバイオフィードバックセンサ識別子をさらに含む。
【００７７】
実施例３６は、実施例１８から３５のいずれかの内容を含み、ボディエリアネットワークシステムコントローラは、メディアアクセスコントローラを備える。
【００７８】
実施例３７は、実施例１８から３６のいずれかの内容を含み、信号マルチプレクサは、ダイプレクサを備える。
【００７９】
実施例３８は、実施例１８から３７のいずれかの内容を含み、信号マルチプレクサは、ローパスフィルタまたはハイパスフィルタのうちの少なくとも１つを含む。
【００８０】
実施例３９は、実施例１８から３８のいずれかの内容を含み、加速度計またはジャイロスコープのうちの少なくとも１つをさらに含む。
【００８１】
実施例４０は、実施例１８から３９のいずれかの内容を含み、ボディエリアネットワークシステムコントローラは、一つまたはそれ以上の外部アクチュエータとさらに通信可能に結合している。
【００８２】
実施例４１は、ユーザのボディエリアネットワーク信号を感知する方法を含み、方法は、バイオフィードバックセンサの身体インターフェースによって、ユーザのボディエリアネットワーク信号を受信するステップと；バイオフィードバックセンサの信号マルチプレクサによって、バイオフィードバック信号および身体結合通信信号を創出するためにボディエリアネットワーク信号を逆多重化するステップと；バイオフィードバックセンサのセンサ信号調整回路によって、バイオフィードバック信号を処理するステップと；ボディエリアネットワーク通信回路によって、身体結合通信信号を処理するステップと、を備える。
【００８３】
実施例４２は、実施例４１の内容を含み、ボディエリアネットワーク通信回路によって、出力身体結合通信信号を送信するステップと；信号マルチプレクサによって、出力身体結合通信信号をバイオフィードバック信号と多重化するステップと、をさらに含む。
【００８４】
実施例４３は、実施例４１および４２のいずれかの内容を含み、センサコントローラによって、バイオフィードバック信号に基づいてセンサデータを生成するステップと；センサコントローラによって、センサデータを身体結合通信によってボディエリアネットワークコントローラに送信するようにボディエリアネットワーク通信回路を制御するステップと、をさらに含む。
【００８５】
実施例４４は、実施例４１から４３のいずれかの内容を含み、センサデータを生成するステップは、バイオフィードバックセンサに対応する固有識別子にさらに基づく。
【００８６】
実施例４５は、実施例４１から４４のいずれかの内容を含み、バイオフィードバック信号に基づいてセンサデータを生成するステップは、メディアアクセスコントローラによって、バイオフィードバック信号に基づいてセンサデータを生成するステップを備える。
【００８７】
実施例４６は、実施例４１から４５のいずれかの内容を含み、身体インターフェースによってボディエリアネットワーク信号を受信するステップは、導電性金属板によってボディエリアネットワーク信号を受信するステップを備える。
【００８８】
実施例４７は、実施例４１から４６のいずれかの内容を含み、身体インターフェースによってボディエリアネットワーク信号を受信するステップは、ユーザの身体または導電媒質のうちの少なくとも１つと直接的に接触している身体インターフェースによってボディエリアネットワーク信号を受信するステップを備える。
【００８９】
実施例４８は、実施例４１から４７のいずれかの内容を含み、身体インターフェースによってボディエリアネットワーク信号を受信するステップは、身体と間接的に接触している身体インターフェースによってボディエリアネットワーク信号を受信するステップを備える。
【００９０】
実施例４９は、実施例４１から４８のいずれかの内容を含み、バイオフィードバックセンサの信号マルチプレクサによってボディエリアネットワーク信号を逆多重化するステップは、ダイプレクサによってボディエリアネットワーク信号を逆多重化するステップを備える。
【００９１】
実施例５０は、実施例４１から４９のいずれかの内容を含み、信号マルチプレクサによってボディエリアネットワーク信号を逆多重化するステップは、ローパスフィルタまたはハイパスフィルタのうちの少なくとも１つによってボディエリアネットワーク信号を逆多重化するステップを備える。
【００９２】
実施例５１は、実施例４１から５０のいずれかの内容を含み、ユーザのボディエリアネットワーク信号を受信するステップは、電気的活動レベル、ガルバニ電位、または、皮膚抵抗のうちの少なくとも１つを受信するステップを含む。
【００９３】
実施例５２は、実施例４１から５１のいずれかの内容を含み、ボディエリアネットワーク信号を逆多重化するステップは、低周波数範囲内のバイオフィードバック信号および低周波数範囲より高い高周波数範囲内の身体結合通信信号を創出するために、身体のバイオフィードバック信号を逆多重化するステップを備える。
【００９４】
実施例５３は、実施例４１から５２のいずれかの内容を含み、低周波数範囲は１Ｈｚから１５０Ｈｚであり、高周波数範囲は１ＭＨｚから１００ＭＨｚである。
【００９５】
実施例５４は、実施例４１から５３のいずれかの内容を含み、センサ信号調整回路によってバイオフィードバック信号を処理するステップは、トランスインピーダンス増幅器、可変利得増幅器、または、フィルタのうちの少なくとも１つによってバイオフィードバック信号を処理するステップを備える。
【００９６】
実施例５５は、一つまたはそれ以上のバイオフィードバックセンサを備えるボディエリアネットワークを制御する方法を含み、方法は、ボディエリアネットワークコントローラの身体インターフェースによって、ユーザのボディエリアネットワーク信号を受信するステップと；ボディエリアネットワークコントローラの信号マルチプレクサによって、身体結合通信信号を創出するためにボディエリアネットワーク信号を逆多重化するステップであって、身体結合通信信号は身体結合通信を用いてバイオフィードバックセンサのうちの１つによって送信された通信信号を備える、ステップと；ボディエリアネットワーク通信回路によって、通信信号を処理するステップと；ボディエリアネットワークコントローラのボディエリアネットワークシステムコントローラによって、通信信号に基づいて出力データを生成するステップと、を備える。
【００９７】
実施例５６は、実施例５５の内容を含み、ボディエリアネットワークコントローラの信号マルチプレクサによって、バイオフィードバック信号を創出するためにボディエリアネットワーク信号を逆多重化するステップと；信号マルチプレクサと結合されたセンサ信号調整回路によって、バイオフィードバック信号を処理するステップと；ボディエリアネットワークシステムコントローラによって、バイオフィードバック信号に基づいてセンサデータを生成するステップと、をさらに含む。
【００９８】
実施例５７は、実施例５５および５６のいずれかの内容を含み、ボディエリアネットワーク通信回路によって、出力身体結合通信信号を送信するステップと；信号マルチプレクサによって、出力身体結合通信信号をバイオフィードバック信号と多重化するステップと、をさらに含む。
【００９９】
実施例５８は、実施例５５から５７のいずれかの内容を含み、ユーザのボディエリアネットワーク信号を受信するステップは、電気的活動レベル、ガルバニ電位、または、皮膚抵抗のうちの少なくとも１つを受信するステップを含む。
【０１００】
実施例５９は、実施例５５から５８のいずれかの内容を含み、ボディエリアネットワーク信号を逆多重化するステップは、低周波数範囲内のバイオフィードバック信号および低周波数範囲より高い高周波数範囲内の身体結合通信信号を創出するために身体のバイオフィードバック信号を逆多重化するステップを備える。
【０１０１】
実施例６０は、実施例５５から５９のいずれかの内容を含み、低周波数範囲は１Ｈｚから１５０Ｈｚであり、高周波数範囲は１ＭＨｚから１００ＭＨｚである。
【０１０２】
実施例６１は、実施例５５から６０のいずれかの内容を含み、センサ信号調整回路によってバイオフィードバック信号を処理するステップは、トランスインピーダンス増幅器、可変利得増幅器、またはフィルタのうちの少なくとも１つによってバイオフィードバック信号を処理するステップを備える。
【０１０３】
実施例６２は、実施例５５から６１のいずれかの内容を含み、出力インターフェースに、出力データに基づいてボディエリアネットワークコントローラのユーザにフィードバックを提供するステップを、さらに含む。
【０１０４】
実施例６３は、実施例５５から６２のいずれかの内容を含み、ユーザにフィードバックを提供するステップは、視覚フィードバック、聴覚フィードバック、または触覚フィードバックのうちの少なくとも１つを提供するステップを含む。
【０１０５】
実施例６４は、実施例５５から６３のいずれかの内容を含み、入力インターフェースによって、バイオフィードバックセンサのうちの一つまたはそれ以上を制御するためにボディエリアネットワークコントローラのユーザから入力コマンドを受信するステップを、さらに含む。
【０１０６】
実施例６５は、実施例５５から６４のいずれかの内容を含み、入力コマンドを受信するステップは、バイオフィードバックセンサのうちの一つまたはそれ以上からのリアルタイムセンサデータを要求するための問い合わせコマンド、または、バイオフィードバックセンサのうちの少なくとも１つに較正するよう命令するための較正コマンドのうちの少なくとも１つを受信するステップを備える。
【０１０７】
実施例６６は、実施例５５から６５のいずれかの内容を含み、身体インターフェースによってボディエリアネットワーク信号を受信するステップは、導電性金属板によってボディエリアネットワーク信号を受信するステップを備える。
【０１０８】
実施例６７は、実施例５５から６６のいずれかの内容を含み、身体インターフェースによってボディエリアネットワーク信号を受信するステップは、ユーザの身体および導電媒質のうちの少なくとも１つと直接的に接触している身体インターフェースによってボディエリアネットワーク信号を受信するステップを備える。
【０１０９】
実施例６８は、実施例５５から６７のいずれかの内容を含み、身体インターフェースによってボディエリアネットワーク信号を受信するステップは、身体と間接的に接触している身体インターフェースによってボディエリアネットワーク信号を受信するステップを備える。
【０１１０】
実施例６９は、実施例５５から６８のいずれかの内容を含み、バイオフィードバックセンサの信号マルチプレクサによってボディエリアネットワーク信号を逆多重化するステップは、ダイプレクサによってボディエリアネットワーク信号を逆多重化するステップを備える。
【０１１１】
実施例７０は、実施例５５から６９のいずれかの内容を含み、バイオフィードバックセンサの信号マルチプレクサによってボディエリアネットワーク信号を逆多重化するステップは、ローパスフィルタまたはハイパスフィルタのうちの少なくとも１つによってボディエリアネットワーク信号を逆多重化するステップを備える。
【０１１２】
実施例７１は、ユーザのバイオフィードバック信号を感知するためのバイオフィードバックセンサを含み、バイオフィードバックセンサは、プロセッサと；プロセッサによって実行されたときに、バイオフィードバックセンサに実施例４１から５４のいずれかの方法を実行させる複数の命令を記憶したメモリと、を備える。
【０１１３】
実施例７２は、実行されるのに応えてバイオフィードバックセンサが実施例４１から５４のいずれかの方法を実行することになる、記憶された複数の命令を備える、一つまたはそれ以上の機械可読媒体を含む。
【０１１４】
実施例７３は、一つまたはそれ以上のバイオフィードバックセンサを備えるボディエリアネットワークを制御するためのボディエリアネットワークコントローラを含み、ボディエリアネットワークコントローラは、プロセッサと；プロセッサによって実行されたときに、ボディエリアネットワークコントローラに実施例５５から７０のいずれかの方法を実行させる複数の命令を記憶したメモリと、を含む。
【０１１５】
実施例７４は、実行されるのに応えて、ボディエリアネットワークコントローラが実施例５５から７０のいずれかの方法を実行することになる、記憶された複数の命令を備える、一つまたはそれ以上の機械可読媒体を含む。
【０１１６】
実施例７５は、ユーザのボディエリアネットワーク信号を感知する方法を含み、方法は、バイオフィードバックセンサの身体インターフェースによって、ユーザのボディエリアネットワーク信号を受信する手段と；バイオフィードバックセンサの信号マルチプレクサによって、バイオフィードバック信号および身体結合通信信号を創出するためにボディエリアネットワーク信号を逆多重化する手段と；バイオフィードバックセンサのセンサ信号調整回路によって、バイオフィードバック信号を処理する手段と；ボディエリアネットワーク通信回路によって、身体結合通信信号を処理する手段と、を備える。
【０１１７】
実施例７６は、実施例７５の内容を含み、ボディエリアネットワーク通信回路によって、出力身体結合通信信号を送信する手段と；信号マルチプレクサによって、出力身体結合通信信号をバイオフィードバック信号と多重化する手段と、をさらに含む。
【０１１８】
実施例７７は、実施例７５および７６のいずれかの内容を含み、センサコントローラによって、バイオフィードバック信号に基づいてセンサデータを生成する手段と；センサコントローラによって、センサデータを身体結合通信によってボディエリアネットワークコントローラに送信するようにボディエリアネットワーク通信回路を制御する手段と、をさらに含む。
【０１１９】
実施例７８は、実施例７５から７７のいずれかの内容を含み、センサデータを生成する手段は、バイオフィードバックセンサに対応する固有識別子にさらに基づく。
【０１２０】
実施例７９は、実施例７５から７８のいずれかの内容を含み、バイオフィードバック信号に基づいてセンサデータを生成する手段は、メディアアクセスコントローラによって、バイオフィードバック信号に基づいてセンサデータを生成する手段を備える。
【０１２１】
実施例８０は、実施例７５から７９のいずれかの内容を含み、身体インターフェースによってボディエリアネットワーク信号を受信する手段は、導電性金属板によってボディエリアネットワーク信号を受信する手段を備える。
【０１２２】
実施例８１は、実施例７５から８０のいずれかの内容を含み、身体インターフェースによってボディエリアネットワーク信号を受信する手段は、ユーザの身体または導電媒質のうちの少なくとも１つと直接的に接触している身体インターフェースによってボディエリアネットワーク信号を受信する手段を備える。
【０１２３】
実施例８２は、実施例７５から８１のいずれかの内容を含み、身体インターフェースによってボディエリアネットワーク信号を受信する手段は、身体と間接的に接触している身体インターフェースによってボディエリアネットワーク信号を受信する手段を備える。
【０１２４】
実施例８３は、実施例７５から８２のいずれかの内容を含み、バイオフィードバックセンサの信号マルチプレクサによってボディエリアネットワーク信号を逆多重化する手段は、ダイプレクサによってボディエリアネットワーク信号を逆多重化する手段を備える。
【０１２５】
実施例８４は、実施例７５から８３のいずれかの内容を含み、信号マルチプレクサによってボディエリアネットワーク信号を逆多重化する手段は、ローパスフィルタまたはハイパスフィルタのうちの少なくとも１つによってボディエリアネットワーク信号を逆多重化する手段を備える。
【０１２６】
実施例８５は、実施例７５から８４のいずれかの内容を含み、ユーザのボディエリアネットワーク信号を受信する手段は、電気的活動レベル、ガルバニ電位、または皮膚抵抗のうちの少なくとも１つを受信する手段を含む。
【０１２７】
実施例８６は、実施例７５から８５のいずれかの内容を含み、ボディエリアネットワーク信号を逆多重化する手段は、低周波数範囲内のバイオフィードバック信号および低周波数範囲より高い高周波数範囲内の身体結合通信信号を創出するために身体のバイオフィードバック信号を逆多重化する手段を備える。
【０１２８】
実施例８７は、実施例７５から８６のいずれかの内容を含み、低周波数範囲は１Ｈｚから１５０Ｈｚであり、高周波数範囲は１ＭＨｚから１００ＭＨｚである。
【０１２９】
実施例８８は、実施例７５から８７のいずれかの内容を含み、センサ信号調整回路によってバイオフィードバック信号を処理する手段は、トランスインピーダンス増幅器、可変利得増幅器、または、フィルタのうちの少なくとも１つによってバイオフィードバック信号を処理する手段を備える。
【０１３０】
実施例８９は、一つまたはそれ以上のバイオフィードバックセンサを備えるボディエリアネットワークを制御する方法を含み、方法は、ボディエリアネットワークコントローラの身体インターフェースによって、ユーザのボディエリアネットワーク信号を受信する手段と；ボディエリアネットワークコントローラの信号マルチプレクサによって、身体結合通信信号を創出するためにボディエリアネットワーク信号を逆多重化する手段であって、身体結合通信信号は身体結合通信を用いてバイオフィードバックセンサのうちの１つによって送信された通信信号を備える、手段と；ボディエリアネットワーク通信回路によって、通信信号を処理する手段と；ボディエリアネットワークコントローラのボディエリアネットワークシステムコントローラによって、通信信号に基づいて出力データを生成する手段と、を備える。
【０１３１】
実施例９０は、実施例８９の内容を含み、ボディエリアネットワークコントローラの信号マルチプレクサによって、バイオフィードバック信号を創出するためにボディエリアネットワーク信号を逆多重化する手段と；信号マルチプレクサと結合されたセンサ信号調整回路によって、バイオフィードバック信号を処理する手段と；ボディエリアネットワークシステムコントローラによって、バイオフィードバック信号に基づいてセンサデータを生成する手段と、をさらに含む。
【０１３２】
実施例９１は、実施例８９および９０のいずれかの内容を含み、ボディエリアネットワーク通信回路によって、出力身体結合通信信号を送信する手段と；信号マルチプレクサによって、出力身体結合通信信号をバイオフィードバック信号と多重化する手段と、をさらに含む。
【０１３３】
実施例９２は、実施例８９から９１のいずれかの内容を含み、ユーザのボディエリアネットワーク信号を受信する手段は、電気的活動レベル、ガルバニ電位、または、皮膚抵抗のうちの少なくとも１つを受信する手段を含む。
【０１３４】
実施例９３は、実施例８９から９２のいずれかの内容を含み、ボディエリアネットワーク信号を逆多重化する手段は、低周波数範囲内のバイオフィードバック信号および低周波数範囲より高い高周波数範囲内の身体結合通信信号を創出するために身体のバイオフィードバック信号を逆多重化する手段を備える。
【０１３５】
実施例９４は、実施例８９から９３のいずれかの内容を含み、低周波数範囲は１Ｈｚから１５０Ｈｚであり、高周波数範囲は１ＭＨｚから１００ＭＨｚである。
【０１３６】
実施例９５は、実施例８９から９４のいずれかの内容を含み、センサ信号調整回路によってバイオフィードバック信号を処理する手段は、トランスインピーダンス増幅器、可変利得増幅器、または、フィルタのうちの少なくとも１つによってバイオフィードバック信号を処理する手段を備える。
【０１３７】
実施例９６は、実施例８９から９５のいずれかの内容を含み、出力インターフェースに、出力データに基づいてボディエリアネットワークコントローラのユーザにフィードバックを提供する手段をさらに含む。
【０１３８】
実施例９７は、実施例８９から９６のいずれかの内容を含み、ユーザにフィードバックを提供する手段は視覚フィードバック、聴覚フィードバック、または、触覚フィードバックのうちの少なくとも１つを提供する手段を含む。
【０１３９】
実施例９８は、実施例８９から９７のいずれかの内容を含み、入力インターフェースによって、バイオフィードバックセンサのうちの一つまたはそれ以上を制御するためにボディエリアネットワークコントローラのユーザから入力コマンドを受信する手段をさらに含む。
【０１４０】
実施例９９は、実施例８９から９８のいずれかの内容を含み、入力コマンドを受信する手段は、バイオフィードバックセンサのうちの一つまたはそれ以上からのリアルタイムセンサデータを要求するための問い合わせコマンド、または、バイオフィードバックセンサのうちの少なくとも１つに較正するよう命令するための較正コマンドのうちの少なくとも１つを受信する手段を備える。
【０１４１】
実施例１００は、実施例８９から９９のいずれかの内容を含み、身体インターフェースによってボディエリアネットワーク信号を受信する手段は、導電性金属板によってボディエリアネットワーク信号を受信する手段を備える。
【０１４２】
実施例１０１は、実施例８９から１００のいずれかの内容を含み、身体インターフェースによってボディエリアネットワーク信号を受信する手段は、ユーザの身体および導電媒質のうちの少なくとも１つと直接的に接触している身体インターフェースによってボディエリアネットワーク信号を受信する手段を備える。
【０１４３】
実施例１０２は、実施例８９から１０１のいずれかの内容を含み、身体インターフェースによってボディエリアネットワーク信号を受信する手段は、身体と間接的に接触している身体インターフェースによってボディエリアネットワーク信号を受信する手段を備える。
【０１４４】
実施例１０３は、実施例８９から１０２のいずれかの内容を含み、バイオフィードバックセンサの信号マルチプレクサによってボディエリアネットワーク信号を逆多重化する手段は、ダイプレクサによってボディエリアネットワーク信号を逆多重化する手段を備える。
【０１４５】
実施例１０４は、実施例８９から１０３のいずれかの内容を含み、バイオフィードバックセンサの信号マルチプレクサによってボディエリアネットワーク信号を逆多重化する手段は、ローパスフィルタまたはハイパスフィルタのうちの少なくとも１つによってボディエリアネットワーク信号を逆多重化する手段を備える。
【図１】
0006549221.tif 000002
【図２】
0006549221.tif 000003
【図３】
0006549221.tif 000004
【図４】
0006549221.tif 000005
【図５】
0006549221.tif 000006
【図６】
0006549221.tif 000007
【図７】
0006549221.tif 000008